Podtech/llm-jp-corpus-v4-ja_patent huggingface dataset:
(57)【特許請求の範囲】
【請求項１】
油分を吸収して半透明になる、不織布を含む素材紙面に油分を吸収しない薬剤、即ち耐油、耐水、耐溶性フッ素保護処理剤を文字、絵、写真その他の模様形状に印刷、吹き付け、塗布の方法によって設け、油分吸収後に上記の模様部分を現出させることを特徴としたあぶらとり紙
【発明の詳細な説明】
【０００１】
【発明の属する技術分野】
本発明は、油分を取る目的のあぶらとり紙に、油分を吸収しない耐油、耐水、耐溶性の薬剤を部分的に、印刷、吹き付け、塗布等の方法で設け、顔面の皮脂を拭き取り後に文字、絵、写真等の模様を現出し、油分を取る目的の他に、遊び感覚や、実用的な付加価値を提供できるあぶらとり紙に関するものである。
【０００２】
【発明が解決しようとする課題】
従来、化粧用あぶらとり紙の場合、顔面に浮く皮脂を取り除くのが、目的であったので、拭き取った後は、捨てるだけの商品であった。本発明は顔面の皮脂を取る素材紙（不織布を含む）の面に、油分を吸収しない薬剤で、文字や絵、写真等の摸様の形状に印刷、吹き付け、塗布等を設け、顔面の皮脂拭き取り後に、素材紙面に占いやゲーム，くじ等が現出させることを特徴とすることにより、意外性、と遊び感覚が加味され、ことわざとか、ものしり、等知識の伝達として、又コマーシャル、販売促進用としての宣伝効果等、使い分けによる用途が多く考えられ、従来油分を取るだけであったあぶらとり紙に部分的に浸透しない箇所を設けることにより付加価値が加わるようにした。
【０００３】
【課題を解決するための手段】
あぶらとり紙の素材紙に部分的に油分を吸収しない薬剤として安全性も高く医療用品・食品副資材にも使用されているフッ素系保護処理剤で耐油・耐水・耐溶性の無色透明の薬剤を、印刷、写真、吹き付け、塗布等の方法で設けておき、外見的には通常のあぶらとり紙とかわらないが皮脂油分を吸収した後に油分を吸収しない薬剤を設けた部分だけが素材紙のまま残り、例えば文字、絵、写真等が現出させることを特徴とした。
請求項に記載したように、耐油・耐水・耐溶性のフッ素系保護処理剤で油分吸収後に模様部分を現出するようにした。
【０００４】
【発明実施の形態】
本発明は、油分を吸収する素材紙のあぶらとり紙（不織布を含む）に油分を吸収しない薬剤を部分的に印刷、吹き付け、塗布等で設け、油分を吸収した部分は、紙本来の特性として半透明になるが、薬剤を設けた部分は、元の素材紙のまま残り、例えば文字、絵、写真等が浮き出るようなっているが、化粧用のあぶらとり紙は、ごく薄の天然パルプ等を使用し、男女とも顔面に浮上する皮脂を拭き取る目的で製造販売されており、欧米並みに動物食品が多くなった現代の食生活では、特に若者の顔面の皮脂浮上が旺盛であぶらとり紙の使用率は、年々増加しているので、あぶらとり紙の本来の目的を損なわない為に油脂を吸収しない印刷部分はベタ刷りを少なくし、細かくても明確に印刷できるプリンター例えば噴射式インクジェットプリンター機器等の使用配慮が必要である。
【０００５】
この油分が浸透しない効果部分に使用する薬剤は、本来、本発明の如く、部分的に設けて効果を出す使用目的でなく、医療の細菌遮断性、医療用衣料（病院のガウン、ドレープ、シーツ等）耐油、耐水，耐溶性の食品副資材（油性食品のテイクアウト用カートン、フードサービス用衣服、ガソリンスタンドのユニホーム等）の使用目的で、遮断性効果が、失われないよう製品の全体的含浸か、原材料自体に含浸するなど、すでに日本、米国、ヨーロッパ、で広く使用されている。最も厳しい衛生基準であるＦＤＡ（米国食品医薬品局）の許可を受けているフッ素系の保護処理剤である。又メーカーは下記、項目を明記している。
１）  原紙が持っているリサイクル性を損なわず燃えるゴミとして処分でき、
紙の材料として再使用が可能である。
２）  ゴミとして焼却した場合、使用するエネルギー消費量は、ラミネート紙
の約１／３程度ですむ。
３）  自然分解性を損なわないため、埋め立て処理も可能である。
本発明の実験の薬剤処方としては、下記の通りで実施した。
無水アルコール          ８５％
水                      １０％
フッ素系保護処理剤                ５％
フッ素系保護処理剤と水をよく混ぜてのち、無水アルコールを加えた。
アルコールだけでは、充分溶解しなかったり、気泡したりするので，適性な１０％の水を加え、製品の均一性を保つため印刷後は、アルコール分が残らないよう速やかに乾燥させた。上記の配合で本発明のあぶらとり紙は、浸透しない部分の文字、絵、写真等が鮮明に浮き出ることが出来た。紙の質、厚みにより多少違いが出ると思われたので印刷時に試し、濃度のコントロールをしたが、今回テストした薄手のパルプは、上記の配合で充分であった。
【０００６】
【発明の効果】
本来、油脂を取る目的だけのあぶらとり紙であり、使用後は、捨てるものであった。しかし最大のあぶらとり紙の需要者は、油脂食品を多く摂る若年層であるから若者志向の商品を提供することが売上の増強につながる物であると思われるし、紙質は研究により余分な皮脂を吸収するよう改良され、収納方法も取り出しやすいプルポップ方式や、鏡付等改善されているが、本発明の様にあぶらとり紙自体を多面的活用した商品は今までに無く、現代の若者志向を取り入れて、遊び感覚を盛り込み、消費者の関心度を高める商品として、娯楽性、販売促進、情報知識の伝達、実用性に富んだ本発明は、今後広く応用する事が出来るもので、あまりコストもかからず使用後は、従来捨てていたものを利用して活かすリサイクル時代に合った商品でもある。
【図面の簡単な説明】
【図１】  図１は、本発明のあぶらとり紙の未使用の状態のものである。
【図２】  図２は、本発明の油分を拭き取った使用済みのあぶらとり紙に部分的に吸収しない薬剤を設けた部分が現出した実施例
【符号の説明】
１−あぶらとり紙シート
２−あぶらとり紙使用済みに現出した薬剤を設けた部分
【図１】
0003766901.tif 000002
【図２】
0003766901.tif 000003
(57)【特許請求の範囲】
【請求項１】
底面の全周に側壁が立設されており、底面に排水孔が穿設された浴槽に於いて、側壁に凹陥部が形成され、この凹陥部の底面に第２排水孔が穿設されていることを特徴とする浴槽。
【請求項２】
第２排水孔に塵捕集網が付設されていることを特徴とする請求項１記載の浴槽。
【発明の詳細な説明】
【０００１】
【発明の属する技術分野】
本発明は、浴槽に関する。
【０００２】
【従来の技術】
従来、浴槽の底面に廃棄用排水孔の他に、排水を中水として再利用する為の排水孔を設けた浴槽は、例えば、特開平６−319662号公報に示されているように、公知である。
【０００３】
【発明が解決しようとする課題】
しかしながら、このような浴槽に於いては、中水用排水孔が廃棄用排水孔と同様に浴槽の底面に設けられているので、砂塵等の不溶の沈殿物が排水中に混入して中水用配管路中に蓄積されるという問題があった。
【０００４】
本発明は、上記従来の問題点を解消し、砂塵等の不溶の沈殿物が中水用配管路中に蓄積されるのを防止出来る浴槽を提供することを目的とする。
【０００５】
【課題を解決するための手段】
請求項１の発明の浴槽は、底面の全周に側壁が立設されており、底面に排水孔が穿設された浴槽に於いて、側壁に凹陥部が形成され、この凹陥部の底面に第２排水孔が穿設されていることを特徴とする。
【０００６】
請求項２の発明の浴槽は、更に、第２排水孔に塵捕集網が付設されていることを特徴とする。
【０００７】
請求項１及び２の発明の浴槽の材質は、特に限定されず、例えば、硝子繊維強化不飽和ポリエステル樹脂（ＦＲＰ）、人造大理石、琺瑯、アルミニウム、ステンレススチール等の金属等が挙げられる。
【０００８】
浴槽は、洗い場と一体成形されたものであっても、洗い場と一体成形された額縁状の浴槽釣支部に吊設されるものであっても、洗い場と一体成形された浴槽載置部に載置されるものであっても、何れでもよい。
【０００９】
浴槽の側壁に穿設された第２排水孔の位置は、排水孔の下端が底面より上方となされていれば特に限定されないが、出来るだけ多くの排水を中水として再利用出来るよう、可能な限り底面近くに穿設されるのが好ましく、底面より３〜５ｃｍ程度上方とされるのが、上記目的から好ましい。
【００１０】
請求項２の発明に於いて、第２排水孔には、排水中に毛髪等の浮遊物が混入されるのを防止する為に、塵捕集網が付設されているが、第２排水孔の開閉及び塵捕集網の清掃の為の塵捕集網の脱着が容易なように、側壁の一部に略三角柱状の凹陥部を設け、該凹陥部の底面に第２排水孔を穿設すると共に、凹陥部に透水性合成繊維織布等からなる袋状塵捕集網を嵌着するのが好ましい。
【００１１】
【発明の実施の形態】
以下本発明の浴槽の実施例を図面に基いて説明する。
図１は本発明の浴槽の１例を示す要部斜視図、図２は図１に示されている浴槽の第２排水孔からの廃水の排水状態を示す断面図、図３は同じく排水孔からの廃水の排水状態を示す断面図である。
【００１２】
図１に於いて、１はＦＲＰ製の浴槽であって、略矩形状の底面２の全周に側壁３が立設されており、側壁３の上端は略コ字状に折り返されて鍔縁４が周設されている。
【００１３】
浴槽１の底面２には円形の排水孔５が穿設されており、一方の短手方向の側壁３には略三角柱状の凹陥部31が設けられており、該凹陥部31の底面に第２排水孔６が穿設されている。
【００１４】
使用後、浴槽１から排水する際には、図２に示されているように、先ず、第２排水孔６を開放すると、第２排水孔６より上方に存在する不溶の沈殿物を含まない排水が中水用配管路７に排出される。
次いで、図３に示されているように、排水孔５を開放すると、不溶の沈殿物を含む排水が、廃棄用排水路８に排出される。
【００１５】
【発明の効果】
請求項１の発明の浴槽は、叙上の通り構成されているので、砂塵等の不溶の沈殿物が中水用配管路中に蓄積されるのを防止することが出来る。
請求項２の発明の浴槽は、叙上の通り構成されているので、砂塵等の不溶の沈殿物が中水用配管路中に蓄積されるのを防止することが出来ると共に、排水中に毛髪等の浮遊物が混入されるのを防止することが出来る。
【図面の簡単な説明】
【図１】  請求項１の発明の浴槽の１例を示す要部斜視図。
【図２】  図１に示されている請求項１の発明の実施例の第２排水孔を開放した状態を示す要部断面図。
【図３】  図１に示されている請求項１の発明の実施例の排水孔を開放した状態を示す要部断面図。
【符号の説明】
１  浴槽
２  底面
３  側壁
５  排水孔
６  第２排水孔
【図１】
0003766163.tif 000002
【図２】
0003766163.tif 000003
【図３】
0003766163.tif 000004
(57)【特許請求の範囲】
【請求項１】
間隔を介在させた２条の水平弾性条のそれぞれ両端に起立円弧形弾性条の両下端を一体に接続してフレームを形成し、上記２条の水平弾性条に粘膜弁刺し止め用小針を外側に向って設けてなる歯科用フラップホールダー。
【発明の詳細な説明】
【０００１】
【発明の属する技術分野】
本発明は歯科において口腔内外科的処置を行う際顎骨の両側に粘膜弁（歯肉弁）を開いた状態を保持するフラップホールダーに関するものである。
【０００２】
【従来の技術】
従来、抜歯後骨及び歯肉が固まった後、歯肉を開いて歯周病剥離、掻爬施術、ＧＢＲ、ＧＴＲ又は骨に穿孔した孔内にインプラント処置等の外科処置を施す際両側に開いた歯肉弁は閉鎖しようとして手術部を覆い勝手となるため、歯科衛生士に開いた状態を保たせ、その状態でインプラント処置等を行う必要があり、施術に歯科衛生士の協力が必要であり、狭い口中において手術は困難をきわめた。
【０００３】
【発明が解決しようとする課題】
本発明は口腔内の粘膜剥離を伴う外科的処置における粘膜弁（歯肉弁）を両側に開いた状態を保持することを目的とする。
【０００４】
【課題を解決するための手段】
上記の目的を達成するため本発明は
間隔を介在させた２条の水平弾性条のそれぞれ両端に起立円弧形弾性条の両下端を一体に接続してフレームを形成し、上記２条の水平弾性条に粘膜弁刺し止め用小針を外側に向って設けてなる歯科用フラップホールダー
によって構成される。
【０００５】
【発明の実施の形態】
本発明では図２に示すように欠如した臼歯部の粘膜弁（歯肉弁）６、６を切開して両側に開いて骨膜を露出し、開いた歯肉弁６、６にフレーム３の水平弾性条１、１の間隔ｗを起立円弧形弾性条２、２の弾力に抗して縮小し、その状態で水平弾性条１、１を開いた歯肉弁６、６に当接すると粘膜弁刺し止め用小針４、４が両側の歯肉弁６、６に刺さり、歯肉弁６、６を両側に開いた状態に保つから、その状態で顎骨頂部５に外科的処置（施術）を行うことができる。
【０００６】
【実施例】
歯ぐきの中心線（頂部５）に沿って臼歯７及び前歯８が認められる。臼歯７又は前歯８が欠如すると歯ぐき９の頂部５は粘膜（歯肉）によって閉鎖され上下の顎骨１０も固まる。
【０００７】
歯の欠如した上下の顎骨１０の頂部５の歯肉弁６、６を頂部中心線に沿って切開して両側に開き、開いた状態を保持するものである。
【０００８】
即ち顎骨１０の頂部５の両側に亘るほぼ一定間隔ｗを介在させた２条の水平弾性条１、１のそれぞれ両端に起立円弧形弾性条２、２の下端を一体に接続した方形（図２実線）又は扇形（図２仮想線）のフレーム３を形成する。
【０００９】
上記水平弾性条や起立円弧形弾性条１、２はステンレス鋼線条（ワイヤー）又は合成樹脂線条によって形成され、粘膜弁刺し止め用小針（フラップホールド針）４、４もステンレス鋼針又は硬化弾性合成樹脂製針が用いられ、上記フレーム３の形状寸法には臼歯部用、前歯部用（図２仮想線）又は小数歯用等がある。又上記フレーム３にはすべてステンレスワイヤフレームによるもの、２条の水平弾性条１、１が合成樹脂線条によるもの、円弧形弾性条２、２のみ合成樹脂弾性線条によるもの等が用いられ、オートクレーブによる高温洗浄可能のものや、使い捨てのもの等が用いられる。上記フレーム３には装着専用ピンセットが用いられる。
【００１０】
上記口腔内外科処置には上下の顎骨１０の頂部５に穿孔し、これに金属又は宝玉類１１を螺入又は嵌合してこれを顎骨１０に固定し、これに義歯１２を装着するインプラント処置等が含まれる。
【００１１】
上記口腔内外科処置後は上記フレーム３を歯肉弁６、６から取外し、義歯付近の歯肉弁６、６は縫合わされる。
【００１２】
【発明の効果】
本発明は上述のように口腔内外科処置に際し顎骨の頂部の両側に切開した粘膜弁（歯肉弁）を両側に開いた状態を人手を要することなく保持し、その間安全に顎骨の頂部における施術を行い得る効果がある。
【図面の簡単な説明】
【図１】本発明の歯科用フラップホールダーを示す斜視図である。
【図２】口腔内外科処置状態図である。
【図３】粘膜弁切開外科処置状態であって図２Ａ−Ａ線による縦断正面図である。
【符号の説明】
ｗ      間隔
１      水平弾性条
２      起立円弧形弾性条
３      フレーム
４      粘膜弁刺し止め用小針
【図１】
0003766156.tif 000002
【図２】
0003766156.tif 000003
【図３】
0003766156.tif 000004
(57)【特許請求の範囲】
【請求項１】
フロントウインド等の如く窓ガラスを車体の窓枠に固定して取付けるための自動車のウインドシールドトリムにおいて、窓枠の湾曲したコーナー部のフランジを挟むように断面略コ字状に形成されたウインドシールドトリムが、車外側の短辺部と車内側の長辺部とを略平行に形成されると共に、ウインドシールドトリムの長辺部の内面側はフランジと略平行とされ、これに埋設された芯金の長辺部が、ウインドシールドトリムの長辺部の内面側よりもフランジ側に傾斜されて成ることを特徴とする自動車のウインドシールドトリム。
【発明の詳細な説明】
【０００１】
【産業上の利用分野】
本発明は、フロントウインド等を車体の窓枠に固定するための自動車のウインドシールドトリムに関するものである。
【０００２】
【従来の技術】
図２に示す如く、自動車のフロントウインドＦ、クオーターウインドＱ、バックウインドＢのような窓ガラスは、車体の窓枠に固定して取付けられている。即ち、図３に示す如く車体パネル即ちボディアウターＢＯ及びボディインナーＢＩの端部のフランジＦよりなる窓枠に、断面略コ字状のウインドシールドトリム６が、その車外側の短辺部６ａと車内側の長辺部６ｂで上記フランジＦを挟むように取付けられている。そして、窓ガラスＧは上記ウインドシールドトリム６にダムテープ７を介して取付けられている。
【０００３】
【発明が解決しようとする課題】
しかしながら、図２に示す如く窓枠の湾曲したコーナー部Ｃでは、図３に示す如くウインドシールドトリム６は、車内側の長辺部６ｂが内方に大きく傾斜して取付けられる必要があるため、ボディインナーＢＩとの間に大きな段差Ｄを生じフラット感がなく外観を悪くするという不具合があった。このように、車内側の長辺部６ｂを内方に大きく傾斜して取付ける理由は、窓枠のコーナー部Ｃでない直線部Ｔに取付けられるウインドシールドトリム６の場合のように短辺部６ａと長辺部６ｂとが平行の状態でコーナー部Ｃに取付けられた場合、長辺部６ｂが車内側の方に大きく倒れるいわゆる口割れ現象を生じつまり湾曲部での追従性が悪くなる。そのため、上記従来のコーナー部Ｃの如く長辺部６ｂを予め内方に大きく傾斜させて取付け、口割れ現象を防止し追従性を良くしたものである。
そこで、本発明はかかる従来の課題に鑑みて、窓枠の湾曲したコーナー部でも追従性を良くし、かつ従来の如く車内側の長辺部を内方に大きく傾斜させることなく外観を損なわないようにした自動車のウインドシールドトリムを提供することを目的とする。
【０００４】
【課題を解決するための手段】
かかる目的を達成するために本発明の構成は、図１及び図２に示すように、フロントウインド等の如く窓ガラスＧを車体の窓枠に固定して取付けるための自動車のウインドシールドトリムにおいて、窓枠の湾曲したコーナー部ＣのフランジＦを挟むように断面略コ字状に形成されたウインドシールドトリム１が、車外側の短辺部２と車内側の長辺部３とを略平行に形成されると共に、ウインドシールドトリム１の長辺部３の内面側３ｂはフランジＦと略平行とされ、これに埋設された芯金４の長辺部５が、ウインドシールドトリム１の長辺部３の内面側３ｂよりもフランジＦ側に傾斜されて成ることを特徴とする自動車のウインドシールドトリムである。
【０００５】
【実施例】
以下、本発明の実施例を図に基づいて詳細に説明する。図１において、１は自動車のウインドシールドトリムで、車外側の短辺部２と車内側の長辺部３とが略平行な断面略コ字状に形成され、係止爪２ａ、３ａを介し窓枠の湾曲したコーナー部ＣのフランジＦを挟むように取付けられている。また、ウインドシールドトリム１内には断面略コ字状の芯金４が埋設され、この芯金４の長辺部５が所定角度θ内方に傾斜されている。そのため、このウインドシールドトリム１の長辺部３の形状は、開口端部側が上記芯金４の長辺部５の傾斜した部分を補う如く厚肉Ｓになっており、従って内面側３ｂは挟着するフランジＦと略平行になり従来の如く内方に大きく傾斜しない。上記ウインドシールドトリム１の車外側に窓ガラスＧが固着されており、また上記窓枠はボディアウターＢＯ及びボディインナーＢＩの端部のフランジＦである。
【０００６】
ウインドシールドトリム１が上記の如く構成されているため、窓枠の湾曲したコーナー部ＣのフランジＦに取付けられたとき、車内側の長辺部３が車内側の方に大きく倒れる方向の力即ち口割れ現象を発生させる力が作用しても、芯金４の長辺部５が所定角度θ内方に傾斜しているため上記作用力に対抗できて湾曲部での追従性が損なわれることがなく、かつウインドシールドトリム１の長辺部３の内面側３ｂがフランジＦに略平行となるため、ボディインナーＢＩとの間のフラット感が損なわれず従来のように大きな段差を生じて外観を損なわれない。
【０００７】
【発明の効果】
以上説明したように本発明の自動車のウインドシールドトリムは、窓枠の湾曲したコーナー部に取付けられる部分においても、車外側の短辺部と車内側の長辺部とを略平行に形成し、上記トリムの車内側の長辺部内に埋設された芯金の長辺部が、所定角度内方に傾斜されているため、コーナー部での取付け時の追従性が良くなり、従来の如くトリムの車内側の長辺部を内方に大きく傾斜させないで済み外観を損なわないという特長がある。
【図面の簡単な説明】
【図１】本発明の自動車のウインドシールドトリムの断面図である。
【図２】自動車の斜視図である。
【図３】従来の自動車のウインドシールドトリムの断面図である。
【符号の説明】
１    ウインドシールドトリム
２    短辺部
３    長辺部
４    芯金
５    長辺部
Ｇ    窓ガラス
Ｃ    コーナー部
Ｆ    フランジ
θ    所定角度
【図１】
0003766180.tif 000002
【図２】
0003766180.tif 000003
【図３】
0003766180.tif 000004
(57)【特許請求の範囲】
【請求項１】
先端に係合部（６）がある駆動腕（７）とスライド方向に長い扁平状のノブ（８）とを備えたＴ字状のノブ部材（５）を、その駆動腕（７）がケース（１）内部に貫通したまま、外方に露出したノブ（８）に対する操作によりスライドさせるようにした型式のスライドノブ装置であって、
前記ノブ部材（５）としてノブ（８）の周囲には環状摺擦平面（１０）がある内向きリブ（９）が形成され、
これに対してケース（１）にはノブ部材（５）の駆動腕（７）の横動に適応する長孔（１１）が穿設されると共に、この長孔（１１）の周囲には前記環状摺擦平面（１０）との滑動に適応する環状摺擦部（１３）を前記ノブ（８）よりも長く形成してこの環状摺擦部（１３）にノブ部材（５）の環状摺擦平面（１０）を対接させ、かつノブ部材（５）の駆動腕（７）にはばね係合部（１４）を設けると共に、ケース（１）の内部にはばね（１５）を設けて駆動腕（７）のばね係合部（１４）に係合させたまま、このばね（１４）によりノブ部材（５）をケース（１）へ取り付けるための取り付け面として機能する、ノブ部材（５）の環状摺擦平面（１０）を環状摺擦部（１３）に常時圧接させるようにし、
長孔（１１）の周囲に外向きのリブ（１２）を設けると共に、リブ（１２）とノブ部材（５）のリブ（９）とが噛み合い状態に嵌合されていることを特徴とする防水型スライドノブ装置。
【発明の詳細な説明】
【０００１】
【発明の属する技術分野】
本発明は、コ−ドレス電話機等の電子機器に付設するスライド型のスイッチあるいは可変抵抗器等のスライドノブ装置に関するものであって、特に簡易防水構造を施したスライドノブ装置に関するものである。
【０００２】
【従来の技術】
コ−ドレス電話機，携帯電話機におけるスライドスイッチのノブには防水構造を採用していないのが普通であるが、一般にスイッチにおけるノブの防水構造としては、ケースとノブとの間にベローまたは特殊な形状のパッキングを介設し、あるいはノブ部分を覆う防水キャップを冠設することが行われている。
【０００３】
【発明が解決しようとする課題】
前記防水構造をスライド型のスイッチあるいは可変抵抗器等のスライドノブに適用する場合には、スライドが直線往復運動であるばかりでなくストロークの関係上、いずれも装備が複雑かつ大型となる不利がある。
【０００４】
そこで本発明の目的は、簡単な構成により、コ−ドレス電話機等の電子機器に付設するスライド型のスイッチあるいは可変抵抗器等に好適な簡易防水型スライドノブ装置を安価に提供することにある。
【０００５】
【課題を解決するための手段】
本発明は上記目的を達成するため、スライド方向に長い環状摺擦平面を有するノブ部材とこのノブ部材の環状摺擦平面に対接する環状摺擦部が形成されたケースとをばねにより常時圧接させた状態のもとに摺動することができるようにし、なお前記環状摺擦平面と環状摺擦部との周囲に環状リブを形成して断面が噛み合い状態のラビリンスパッキング構造にするのがよい。
【０００６】
上記構成により、ノブ部材の環状摺擦平面とケースの環状摺擦部とが摺り合わせ状態のもとに対接したままばねにより常時圧接し、ノブ部材の摺動時にも液密状態が保たれ、またラビリンスパッキング構造は水の侵入を一層防止する。
【０００７】
【発明の実施の形態】
以下、本発明の実施形態を図面について詳細に説明する。
【０００８】
図示の実施形態は、本発明をコードレス電話機のスライドスイッチに適用した形態であって、適用対象とするスライドスイッチとしては、例えば図示のように、細長い扁平状のプラスチック製ケース１の内部にスライドスイッチ２をその受動腕３がケース１の側壁に対向する状態のもとにプリント基板４に固定し、これに対するノブ部材５としては先端に係合部６がある駆動腕７とノブ８とを備えたほぼＴ字状にプラスチック成型により形成し、ノブ８をケース１の側壁から外方へ露出したまま、駆動腕７がケース１内に貫通した状態のもとに、先端の係合部６を前記受動腕３に係合し、ノブ８に対する摺動操作によりスライドスイッチ２を変位するようにした型式を採択する。
【０００９】
上記型式に対する本発明の構成としては、前記ノブ部材５として特にそのノブ８をスライド方向に長い扁平状に形成するほか、周囲に内向きに形成したリブ９に長円形環状摺擦平面１０を設け、これに対してケース１にはノブ部材５の駆動腕７の横動に適応する長孔１１を穿設すると共に、この長孔１１の周囲に外向きのリブ１２を設けるほか、リブ１２の周囲には長円形環状摺擦平面１０との滑動に適応する環状摺擦部１３を設け、かつノブ部材５の駆動腕７にはばね係合部１４を設けると共に、ケース１の内部にはばね１５をその先端が前記駆動腕７のばね係合部１４に係合させたまま、このばね１５によりノブ部材５の環状摺擦平面１０を環状摺擦部１３に常時圧接させるようにし、もってノブ部材５の環状摺擦平面１０と環状摺擦部１３とを圧接により水密状態に保持すると同時に、噛み合い状態のリブ９と１２とにより形成されるラビリンスパッキング構造により侵水を抑止したまま、ノブ部材５に対するスライド操作によりスライドスイッチ２を切り換えることができるようにする。
【００１０】
前記環状摺擦平面１０および環状摺擦部１３の形状は、長円形に限らず長方形でもよく、またばね１５については、板ばね，線状ばね，円錐コイルばね等を採択することができる。
【００１１】
前記実施形態は本発明をスライドスイッチに適用した場合であるが、本発明はこれに限らず可変抵抗器等の他のスライド型電子部品のスライドノブに適用することができること当然である。
【００１２】
【発明の効果】
以上説明したように本発明によれば、ゴム材等のベロー，パッキングを使用しない構造であるから、材質の劣化による不具合を生ずることなく軽快に操作することができるほか、ラビリンスパッキング構造の付設により侵水を一層抑止することができ、従ってコ−ドレス電話機，携帯電話機等を屋外または浴場で使用する場合、あるいは濡れ手で操作する場合に、簡易防水型として便利である。
【図面の簡単な説明】
【図１】本発明の１実施形態を示す防水型スライドノブ装置の横断平面図である。
【図２】図１の防水型スライドノブ装置の縦断側面図である。
【図３】図１の防水型スライドノブ装置を付設したコ−ドレス電話機の部分的破断斜面図である。
【符号の説明】
１  ケース
５  ノブ部材
６  係合部
７  駆動腕
８  ノブ
９  リブ
１０  環状摺擦平面
１１  長孔
１２  リブ
１３  環状摺擦部
１４  係合部
１５  ばね
【図１】
0003766706.tif 000002
【図２】
0003766706.tif 000003
【図３】
0003766706.tif 000004
(57)【特許請求の範囲】
【請求項１】
非満水状態で流体が流れる開水路用の流量計であって、流管（１）内にフリューム（２）を有し、該フリューム部またはその上流の流速を電磁誘導の原理により計測する電磁流量計において、
フリューム（２）のスロート部（２ａ）の側面上端部（２ｂ）と流管（１）の内周面（１ａ）とが滑らかに接続されるようにスロート側面部を形成したことを特徴とするフリュームを有する電磁流量計。
【発明の詳細な説明】
【０００１】
【発明の属する技術分野】
本発明は下水や排水などの計測に好適なフリュームを有する電磁流量計の改良に関する。
【０００２】
【従来の技術】
本願の出願人は、非満水状態で流体が流れる開水路の流量計として、流管内にいわゆるパーマ・ボーラスフリュームを有し、そのスロート部またはスロート部の上流の流速を電磁誘導の原理によって計測する電磁流量計を提案した（特開平５−２７３０１５号公報）。
【０００３】
この従来技術は、例えば図２に示すように流管１内にパーマ・ボーラスフリューム２を有し、このフリューム２に、水平方向に対向した電極３を配置している。流管１の下部には励磁コイル４を設けて図示上下方向の磁界を発生させる。電極３に誘起する流速に比例した電圧を増幅器５で増幅し、Ａ／Ｄ変換器６でディジタル信号に変換してから、演算回路７で流量を算出する。８は励磁コイル４を励磁する励磁電源、９は測定や励磁に必要なタイミング信号を発生するタイミング回路である。
【０００４】
電極３に誘起する流速に比例した電圧をｅとすると、流量Ｑは電圧ｅの関数Ｆ（ｅ）として
Ｑ＝Ｆ（ｅ）
であらわされる。
【０００５】
関数Ｆは、流管１とパーマ・ボーラスフリューム２の形状電磁流量計の設置位置、電極３の形状、磁界の磁束密度分布により決定される関数で、これらのパラメータを固定して予め実測して求めておく。
【０００６】
こうすることで、水位を測定せずに非満水状態の流量を計測する。
【０００７】
【発明が解決しようとする課題】
前記従来の技術では、そのスロート部またはスロート部の上流部の流速を電磁誘導の原理を用いて計測し、こうして計測した流速と流量とが一定の関数関係になることを利用して流量を算出している。
【０００８】
ところが、水位がフリューム２のスロート部上端と流管１の内周との境界線１０付近、即ち、図３に示すようにスロート部上端と流管１の内周との境界位置の水位ｈｏ前後では、水位の或範囲Δｈの間に亘り、図３（ｃ）のように流速信号電圧ｅに対し水位が２価関数になるために、この部分での流量計の精度が良くないという問題点があった。
【０００９】
この現象は、水位の上昇に対する流路断面積の変化のしかたが、上記ｈｏの位置を境に全く異なってしまって、スロート部の流速分布の傾向が水位ｈｏの前後で異なるために生じるものである。
【００１０】
更に詳しくは、フリュームを構成するスロートの側面部分が平面で、流管１の内周面との境目がはっきりしているために、流速分布変化の影響が、この境目付近の水位に集中して現れるため、流速値と水位との関係が２価的になっていた。
【００１１】
そこで、本発明はかかる問題点を解消できるフリュームを有する電磁流量計を提案することを目的とする。
【００１２】
【課題を解決するための手段】
前記目的を達成するために、請求項１の発明は、非満水状態で流体が流れる開水路用の流量計であって、流管（１）内にフリューム（２）を有し、該フリューム部またはその上流の流速を電磁誘導の原理により計測する電磁流量計において、
フリューム（２）のスロート部（２ａ）の側面上端部（２ｂ）と流管（１）の内周面（１ａ）とが滑らかに接続されるようにスロート側面部を形成したことを特徴とするフリュームを有する電磁流量計である。
【００１３】
【発明の実施の形態】
図１（ａ）（ｂ）はこの発明の好ましい実施の形態で、流管１内に設けたパーマ・ボーラス様のフリューム２のスロート部２ａの側面上端部２ｂを同図（ａ）のように円弧状に形成して、側面上端部２ｂと流管１の内周面１ａとが滑らかに接続されるようにスロート部２ａの側面上端部２ａを形成した。
【００１４】
こうすることで、水位は、同図（ｃ）に示すように、流速信号電圧ｅに対し、水位ｈｏ付近の比較的広い範囲Δｈに亘って１価関数になる。
この発明では、スロート側面部と流管内周面とが滑らかな曲面で接続されて、明確な境界線を作らないため、流速分布の変化が起こる範囲が広い水位範囲Δｈに分散されることで、流速と水位の２価的関係が解消され、流量計の精度が向上する。
【００１５】
【発明の効果】
本発明の電磁流量計は上述のように構成されているため、流速に比例する誘起電圧と水位との関係、換言すれば流速と流量との関係が常に１価関数になるため、流量の計測精度が良くなる。
【図面の簡単な説明】
【図１】（ａ）は本発明の好ましい実施の形態の横断面略図、（ｂ）は同（ａ）図の縦断面略図、（ｃ）は同図（ａ）（ｂ）の実施の形態の流速信号電圧と水位との関係を説明する線図である。
【図２】従来技術のブロック線図である。
【図３】（ａ）は従来技術の検出器部分の横断面略図、（ｂ）は同図（ａ）の縦断面略図、（ｃ）は同図（ａ）（ｂ）の流速信号電圧と水位との関係を説明する線図である。
【符号の説明】
１          流管
１ａ        内周面
２          フリューム
２ａ        スロート部
２ｂ        スロート部２ａの側面上端部
【図１】
0003766714.tif 000002
【図２】
0003766714.tif 000003
【図３】
0003766714.tif 000004
(57)【特許請求の範囲】
【請求項１】
合成樹脂製容器に菓子ベースを充填し、該菓子ベースの上面に卵、キシロース、キサンタンガム、蔗糖からなる泡状物質を載置し、１２０℃の温度でレトルト処理することを特徴とする表面に焦げ目風焼き色を有する合成樹脂製容器入りレトルト菓子の製造方法。
【発明の詳細な説明】
【０００１】
【発明の属する技術分野】
本発明は、表面に焦げ目風焼き色を有する合成樹脂精製容器入りレトルト菓子及びその製造方法に関する。
【０００２】
【従来の技術】
従来、焦げ目を有する焼き洋菓子の代表である焼きプリンの製造方法については、プラスチックカップにプリンミックスを充填し、その表面に微細な泡状物を供給した後、１４０℃程度の温度で焼成して泡状物を均一に焦がす方法（特開平５−４９４２９号）、プラスチック容器にプリンベースを充填して蒸煮し、その上に含気泡ベースを載せて高温短時間焼成して焦げ目を付ける方法（特開平６−２６１７０５号）、合成樹脂製容器にプリン原料を充填し、該プリン原料の上面に泡状原料を充填して１６０℃以上の高温で焼成して焦げ目を付ける方法（特開平６−２７６９７７号）等が提案されている。
【０００３】
【発明が解決しようとする課題】
しかしながら、これら従来の技術はいずれも焼成により焦げ目を付けるものであり、焼成が不可欠で工程が煩雑となる他、焼成に耐えられる高耐熱性容器が必要であり生産性・コスト面とも課題があった。
【０００４】
【課題を解決するための手段】
上記の課題を解決するために、本発明は、合成樹脂製容器に菓子ベースを充填し、容器に充填した該菓子ベースの上面に泡状物質を載置し、少なくとも１２０℃以上の温度でレトルト処理してなる表面に焦げ目風焼き色を有する合成樹脂製容器入りレトルト菓子及びその製造方法である。本発明によれば、焼成することなくレトルト処理のみで表面に焦げ目風焼き色を有するレトルト菓子を得ることができる。以下、本発明の作用効果を明らかにするため下記の試験を行った。
【０００５】
【試験例】
下記基本配合（表１）をホイップして泡状物質とし、該泡状物質をカップ入り菓子ベースの上面に載置し、シール後１２０℃、１５分間レトルト処理した。その結果を表２〜表３に示す。
【０００６】
【表１】
0003766727.tif 000002
【０００７】
【表２】
0003766727.tif 000003
【０００８】
【表３】
0003766727.tif 000004
【０００９】
【発明の実施の形態】
本発明は、合成樹脂製容器に菓子ベースを充填し、容器に充填した該菓子ベースの上面に泡状物質を載置し、少なくとも１２０℃以上の温度でレトルト処理してなる表面に焦げ目風焼き色を有する合成樹脂製容器入りレトルト菓子及びその製造方法である。
【００１０】
本発明の泡状物質の原料は少なくとも１重量％、好ましくは３〜５重量％の糖質としてキシロースを含有する。１重量％未満の場合は、焦げ目風焼き色が薄く、５重量％を超えるとキシロースの味がでる。増粘剤としてキサンタンガムを少なくとも０．２重量％、好ましくは０．３〜０．４重量％含有する。０．２重量％未満の場合は、泡沫の安定性が悪く、０．４重量％を超えると粘度が出過ぎて充填適性が悪くなる。その他全卵、蔗糖等からなっている。泡状物質の基本配合としては、全卵７４．２％、糖類（焼き色用）３．０％、蔗糖２２．０％、フレーバー０．４％、増粘剤０．４％（いずれも重量％）である。これを公知の泡立て機でホイップし、この泡状物質５〜６部を菓子ベース、例えばプリンの上に載置する。該泡状物質にキシロースを含有させることにより他の糖類と比較して低い温度でメイラード反応により着色できる。又、増粘剤としてキサンタンガムを含有させることにより泡状物質の泡沫安定性が付与され、レトルト処理後も安定性が保持される。
【００１１】
本発明におけるレトルト処理の処理温度は１２０℃、処理時間１５分間でＦ値４〜６とするのが好ましい。
【００１２】
【実施例】
実施例１  焼き風プリン
プリンベースとして、砂糖１５部、牛乳８．９部、全卵１６部及びバニラフレーバー０．１部を混合し６０℃まで昇温して調製した。これとは別に該ベースと共に焦げ目風焼き色を付けるため泡状物質のベースとして、全卵７４．２部に砂糖２２．０部、キシロース３．０部、キサンタンガム０．４部、焦げ臭フレーバー０．４部を混合してホイップさせ泡状物質を調製した。
【００１３】
レトルト耐性のある容器（ポリプロピレン製カップ容器）に前記プリンベース９５部を充填し、該プリンベースの上面に泡状物質５部を載置して容器をシール後１２０℃、１５分間レトルト処理しＦ値４で滅菌して焼き風プリンを得た。得られた焼き風プリンは、表面部分のみが茶褐色となり、あたかも焼成したかのごとく焦げ目風焼き色が付き、さらに焦げ臭も相俟って通常の焼きプリンとほとんど遜色の無いものであった。
【００１４】
実施例２  クレームブリュレ
クレームブリュレベースとして、砂糖１０部、生クリーム３０部、牛乳４９．９部、卵黄１０部及びバニラフレーバー０．１部を混合し６０℃まで昇温して調製した。これとは別に該ベースと共に焦げ目風焼き色を付けるため泡状物質のベースとして、全卵７４．２部に砂糖２２．０部、キシロース３．０部、キサンタンガム０．４部、フレーバー０．４部を混合してホイップさせ泡状物質を調製した。
【００１５】
レトルト耐性のある容器（ポリプロピレン製カップ容器）に前記クレームブリュレベース９５部を充填し、該クレームブリュレベースの上面に泡状物質５部を載置して容器をシール後１２０℃、１５分間レトルト処理しＦ値６で滅菌しクレームブリュレを得た。得られたクレームブリュレは、表面部分のみが茶褐色となり、あたかも焼成したかのごとく焦げ目風焼き色が付き通常のクレームブリュレとほとんど遜色の無いものであった。
【００１６】
【発明の効果】
本発明によれば、焼成することなくレトルト処理のみで表面に焦げ目風焼き色を有する焼き風プリン等の洋菓子を安価に得ることができ、さらに常温で長期保存に耐え得る製品を得ることができる等多大の効果を奏するものである。
(57)【特許請求の範囲】
【請求項１】
ヘルメット本体の頂部にタテ方向のトンネル部を突設し、このトンネル部の後端部を空気排出口とし、且つトンネル部の上面にクッション部材を外部に露呈して設けたことを特徴とするヘルメット。
【請求項２】
ヘルメット本体と、ヘルメット本体に内張りされるクッション材とから成り、前記ヘルメット本体の頂部にタテ方向のトンネル部を突設し、かつ前記クッション材のこのトンネル部に対応する位置に通気孔を複数個形成し、前記トンネル部の後端部を空気排出口とし、且つトンネル部の上面にクッション部材を外部に露呈して設けたことを特徴とするヘルメット。
【請求項３】
前記クッション材の上面に溝部を凹設し、この溝部に前記通気孔を形成したことを特徴とする請求項２記載のヘルメット。
【請求項４】
前記トンネル部の天井部の後端を、排気口出口の端部よりも前側にしたことを特徴とする請求項１又は２に記載のヘルメット。
【請求項５】
前記トンネルの後端両側部から後方へ向かって複数本の補強用のリブを突設したことを特徴とする請求項１〜４の何れかに記載のヘルメット。
【発明の詳細な説明】
【０００１】
【発明の属する技術分野】
本発明は、安全性と着用性にすぐれたヘルメットに関するものである。
【０００２】
【従来の技術】
工場、建設現場、レスキュー隊、オートドライバー等が被るヘルメットは、ヘルメット本体の内側に発泡スチロールなどのクッション材を内張りして作られている。
【０００３】
【発明が解決しようとする課題】
この種ヘルメットは、衝撃等に対する安全性とともに、頭部への着用性、殊に酷暑時における通気性が要求される。したがってこれまで、このような諸要求に対応する様々なヘルメットが提案・実施化されてきたが、未だこれらの諸要求の満足性は十分でなく、このため作業者やドライバー等はヘルメットの着用を忌避する傾向にあった。
【０００４】
そこで本発明は、安全性と着用性にすぐれたヘルメットを提供することを目的とする。
【０００５】
【課題を解決するための手段】
本発明のヘルメットは、ヘルメット本体の頂部にタテ方向のトンネル部を突設し、このトンネル部の後端部を空気排出口とし、且つトンネル部の上面にクッション部材を外部に露呈して設けた。
【０００６】
また本発明のヘルメットは、ヘルメット本体と、ヘルメット本体に内張りされるクッション材とから成り、前記ヘルメット本体の頂部にタテ方向のトンネル部を突設し、かつ前記クッション材のこのトンネル部に対応する位置に通気孔を複数個形成し、前記トンネル部の後端部を空気排出口とし、且つトンネル部の上面にクッション部材を外部に露呈して設けた。
【０００９】
【発明の実施の形態】
以下、本発明の実施の形態を図面を参照して説明する。図１はヘルメットの斜視図、図２はヘルメットの縦断面図、図３はヘルメットの頂部の横断面図、図４はクッション材の平面図である。
【００１０】
図１および図２において、ヘルメット１は、強化プラスチックなどの強度の大きい素材から成るヘルメット本体２と、ヘルメット本体２の内側に内張りされたクッション材３から成っている。クッション材３は発泡スチロールなどの弾性素材によりキャップ形に形成されている。
【００１１】
ヘルメット本体２の頂部には、トンネル部４がタテ方向に突設されている。なお本発明でタテ方向とは、前後方向のことである。トンネル部４の断面は略逆Ｕ字形であり（図３も参照）、またトンネル部４は前方（顔面側）から後方（後頭部側）へ向ってテーパ状に次第に高くなっており、その後端部は空気排出口５になっている。またトンネル部４の上面にはゴム板などのクッション部材６が外部に露呈して設けられている。図２において、トンネル部４の後端部Ｔは、トンネル部４は側壁だけであって、天井部はなく、クッション部材６がこの後端部Ｔの天井部となっている。トンネル部４の天井部の後端ａは、排気口出口の端部ｂよりも前側にある。またトンネル部４の後端両側部から後方へ向って複数本（本例では２本）の補強用のリブ７が突設されている。
【００１２】
図４において、クッション材３の上面中央部には第１の溝部１１と第２の溝部１２が十字形に凹設されている。第１の溝部１１はヘルメットの前方から後方へタテ方向に伸びている。また第２の溝部１２は第１の溝部１１と直交する方向（ヨコ方向）に伸びている。第１の溝部１１と第２の溝部１２には通気孔１３が複数個形成されている。第１の溝部１１と第２の溝部１２は、ヘルメット本体２とクッション材３の間の空気流通部となるものである。
【００１３】
クッション材３の前部（着用時の顔面側）には凸部１４が突設されている。図１および図２において、ヘルメット本体２の前部（顔面側）には外凸部８が突設されている。図２に示すように、クッション材３は凸部１４を外凸部８に内方から着脱自在に嵌合させることにより、ヘルメット本体２の内側に着脱自在に装着される。その状態で、第１の溝部１１に直線上にピッチをおいて形成された複数個の通気孔１３は、トンネル部４の内方（直下）に対応する位置に位置決めされる。すなわち外凸部８と凸部１４は、ヘルメット本体２に対するクッション材３の位置決め手段となっている。勿論、位置決め手段は本実施の形態のような外凸部８や凸部１４に限定されず、その形状構造は自由に設計できる。
【００１４】
このヘルメット１は上記のように構成されており、その頂部にはトンネル部４やリブ７が形成されているので、外的衝撃、特に落下物に対する安全性にすぐれている。またクッション材３により、安全性がより一層高まる。また着用時における内部の暑気は、通気孔１３から第１の溝部１１や第２の溝部１２を通り、更にトンネル部４内を通って空気排出口５から外界へ排出されるので（図２の矢印Ａ参照）、通気性にすぐれている。
【００１５】
【発明の効果】
以上説明したように本発明によれば、ヘルメットの頂部にトンネル部が突設されているので、特に落下物等の衝撃に対する安全性が高い。またクッション材の通気孔から上昇した暑気はトンネル部を通って外界に排出されるので、通気性を確保し、着用性のよいヘルメットを実現できる。
【図面の簡単な説明】
【図１】ヘルメットの斜視図
【図２】ヘルメットの縦断面図
【図３】ヘルメットの頂部の横断面図
【図４】ヘルメットのクッション材の平面図
【符号の説明】
１  ヘルメット
２  ヘルメット本体
３  クッション材
４  トンネル部
５  空気排出口
６  クッション部材
７  リブ
８  外凸部
１１  第１の溝部
１２  第２の溝部
１３  通気孔
１４  凸部
【図１】
0003766625.tif 000002
【図２】
0003766625.tif 000003
【図３】
0003766625.tif 000004
【図４】
0003766625.tif 000005
(57)【特許請求の範囲】
【請求項１】
マウスピース（１０２）を備えたチューブ（２）と、出口ポートとを分岐した合成樹脂製の箱状の本体（１）を包含し、この本体（１）の内部に、外部環境に連通する第１の部屋（Ａ）と第２の部屋（Ｂ）とに分割する隔膜（Ｄ）を包含する水中呼吸装置用のレギュレータにおいて、前記箱状の本体（１）は、実質的に円筒形であり、また１つ以上の環状セクター形金属インサート（４０１）が上記本体（１）の部屋（Ｂ）の側壁内にはめ込まれていることを特徴とする水中呼吸装置用のレギュレータ。
【請求項２】
前記金属インサート（４０１）が、前記本体の成型工程中に本体内に一体化された請求項１のレギュレータ。
【発明の詳細な説明】
【０００１】
【発明の属する技術分野】
本発明は、水中呼吸装置用のレギュレータに関する。
【０００２】
【従来の技術】
この種のレギュレータは、マウスピースを備えたチューブが接続された、金属またはプラスチック材料製の箱形の本体を包含している。
【０００３】
プラスチック材料により作ることは、ことに軽量で手頃となるので無駄がなく一層有利であり、また、抑制されたコストでレギュレータが得られることとなる。
【０００４】
【発明が解決しようとする課題】
しかしながら、非常に冷たい水中（約０℃）に潜ると、このようなレギュレータはいくつかの欠陥を現すことが分かった。事実、レギュレータの内部に直ぐに氷が生じやすいのである。これは、透熱性の合成樹脂（以下プラスチックという）製の本体内への空気の膨張により生ずる水蒸気の凍結による。金属性の本体を備えたレギュレータでは、このような現象は生じない。これは、金属製の本体が環境と定常的に熱交換をしているからである。
【０００５】
米国特許第４，３５６，８２０号明細書には、プラスチック成型品である箱状の本体を包含する水中呼吸装置が記載され、公知となっている。冷水環境中での給気弁機構及びアクチュエータの凍結を防止するために、このレギュレータには熱伝達要素が設けられている。この熱伝達要素は、使用者の呼吸から熱を受け取るように配置された第１の部分と、給気弁機構と熱伝達関係にある第２の部分とを有し、これにより熱を、使用者の呼吸から給気弁機構に伝達して、冷たい環境条件下において給気弁機構の凍結を防止するものである。
【０００６】
しかしながら、このレギュレータの構造は、レギュレータの内部における氷の付着形成を妨げるのには不向きである。
【０００７】
本発明の目的は、金属本体を備えたレギュレータと同様に、効率の良い外部との熱交換を行うことができ、しかもプラスチック材料製の本体を有するレギュレータで実現される手頃さ、軽量性及び経済性の特徴を維持することができるレギュレータを提供することにある。
【０００８】
【課題を解決するための手段】
従って本発明は、マウスピースを備えたチューブと出口ポートとを有するプラスチック材料製の箱状の本体を包含した水中呼吸装置用のレギュレータにおいて、前記箱状の本体が、これと一体のひとつまたはそれ以上の数の金属インサートを備えたことを特徴とするレギュレータにある。
【０００９】
一般に、箱状の本体は実質的に円筒形の形状をしており、金属インサートは、この円筒の側壁にひとつまたはそれ以上の数の環状のセクターの形に配置されている。
【００１０】
本発明のさらなる特徴と利点については、添付図面を参照して述べる本発明の１実施例についての以下の記載から明らかとなろう。
【００１１】
【発明の実施の形態】
図面において、符号１はレギュレータの円筒形の箱状の本体を示す。プラスチック材料製のこの本体は隔膜Ｄを包含し、この隔膜は、外部環境と連通する第１の部屋Ａの内部を、内部に空気の流れの供給を制御する装置を包含する第２の部屋Ｂから隔離している。空気の流れの供給を制御する装置（図示してない）は、任意の周知形式のものでよく、これは本発明の一部となるものではないので、ここには詳述しない。本体（以下ケーシングという）１の基壁から、ダイバーの呼吸用のマウスピース１０２を備えたチューブ２が突き出している。同じ基壁に、逆止め弁３０１を備えた出口ポート２０１が形成されている。この出口ポート２０１は、側壁の孔１０３を介して管状の要素３と連通している。ケーシング１の側壁１０１には、ふたつの開口１１１があり、ここにふたつの半環状の金属インサート４０１が嵌合されている。この金属インサート４０１の目的については、さらに後述する。金属インサート４０１の周縁には、ふくらみ部４１１が設けてある。
【００１２】
本発明によるレギュレータの作動は次の通りである。すなわち、前述のように全部がプラスチック材料でできた本体を備えたレギュレータは、その内部で凍結を生じやすい。これは、主として透熱性の壁により生ずる膨張による温度降下を補償することが困難であることによる。図示のレギュレータであっても、ダイバーの呼吸により生じるレギュレータ内への空気が膨張することは、上述の氷の付着形成を助成する。しかしながら、レギュレータの本体のプラスチック壁に埋め込まれレギュレータのケーシングの内部室と外部環境との間の熱交換部材として作用する金属インサート４０１のおかげで、ケーシング内部での温度バランスの急速な再確立が果たされ、ケーシング内部にある水蒸気の凍結が防止されるのである。この金属インサート４０１は、図示の例では半環状のものをふたつとして示してあるが、これは、通常箱状の本体に対して半径方向に配置されている給気弁（図示してない）の出口ポート近くに配置された１個だけの金属インサートとすることも可能である。金属インサートの外縁のふくらみ部４１１は本体１の側壁１０１への接続の安定性に資する。金属インサートとケーシングとの間の組付けは、任意の既知のやり方により行うことができる。好適には、金属インサートは、ケーシングの成型中にこのケーシングに組み付けられる。
【００１３】
本発明によるレギュレータは、全部が金属製の本体と同じ信頼性をもって用いることができ、しかも金属製の場合よりもはるかに低い製造コストで作ることができる。
【図面の簡単な説明】
【図１】本発明によるレギュレータの一部を断面で示す側面図である。
【符号の説明】
Ａ        第１の部屋
Ｂ        第２の部屋
Ｄ        隔膜
１        箱状の本体
２        チューブ
３        管状の要素
１０１    側壁
１０２    マウスピース
１０３    孔
１１１    開口
２０１    出口ポート
３０１    逆止め弁
４０１    金属インサート
４１１    ふくらみ部
【図１】
0003836183.tif 000002